(57)【要約】【課題】制御命令の数を減らすことなく、トッププレートに配列するスイッチの数を低減する誘導加熱調理器を提供する。【解決手段】誘導加熱調理器は、調理容器を載置するトッププレート（１）と、誘導磁界を発生して、調理容器を誘導加熱する加熱コイルと、各々制御命令が割り当てられた複数のスイッチを含む操作部（４）と、スイッチが押下されることにより入力された制御命令に応じて、加熱コイルに高周波電流を供給する制御部と、を有する。複数のスイッチは、複数の制御命令が割り当てられたスイッチ（４ｂ）を少なくとも一つ含む。【選択図】図２
2008218103.tif 000002
【特許請求の範囲】
【請求項１】
調理容器を載置するトッププレートと、
誘導磁界を発生して、前記調理容器を誘導加熱する加熱コイルと、
各々制御命令が割り当てられた複数のスイッチを含む操作部と、
前記スイッチが押下されることにより入力された制御命令に応じて、前記加熱コイルに高周波電流を供給する制御部と、
を有し、
前記複数のスイッチは、複数の制御命令が割り当てられたスイッチを少なくとも一つ含む、誘導加熱調理器。
【請求項２】
他のスイッチが押下されることにより、前記１つのスイッチに割り当てられた複数の制御命令の中から、前記１つのスイッチの制御命令として、１つの制御命令が選択されて入力可能な状態になる、請求項１に記載の誘導加熱調理器。
【請求項３】
前記１つのスイッチの押下回数に基づいて、前記１つのスイッチに割り当てられた複数の制御命令の中から、前記１つのスイッチの制御命令として、１つの制御命令が選択されて入力可能な状態になる、請求項１に記載の誘導加熱調理器。
【請求項４】
前記１つのスイッチの押下位置に基づいて、前記１つのスイッチに割り当てられた複数の制御命令の中から、前記１つのスイッチの制御命令として、１つの制御命令が選択されて入力可能な状態になる、請求項１に記載の誘導加熱調理器。
【請求項５】
前記１つのスイッチに割り当てられた複数の制御命令を識別する情報が、前記スイッチの表面又は前記スイッチ近傍に印字されており、前記１つのスイッチが押下されると、押下位置に最も近い印字に対応する制御命令が前記１つのスイッチの制御命令として選択される、請求項４に記載の誘導加熱調理器。
【請求項６】
前記スイッチに光を照射する光源をさらに有し、
前記１つのスイッチに割り当てられた複数の制御命令を識別する情報が、前記スイッチ又は前記スイッチ近傍に印字されており、
前記光源は、複数の制御命令の中から選択された１つの制御命令の印字を発光させる、請求項１から請求項５のいずれかの請求項に記載の誘導加熱調理器。
【請求項７】
前記スイッチに光を照射する光源をさらに有し、
前記光源は、複数の制御命令の中から選択された１つの制御命令に応じて、前記１つのスイッチに対する発光色を変更する、請求項１から請求項５のいずれかの請求項に記載の誘導加熱調理器。
【請求項８】
前記１つのスイッチに割り当てられた複数の制御命令を識別する情報が、前記スイッチ又は前記スイッチ近傍に印字されており、
前記光源は、複数の制御命令の中から選択された１つの制御命令の印字を発光させる、請求項７に記載の誘導加熱調理器。
【発明の詳細な説明】
【技術分野】
【０００１】
本発明は、調理容器を誘導加熱する誘導加熱調理器に関する。
【背景技術】
【０００２】
近年、鍋などの調理容器を加熱コイルにより誘導加熱する誘導加熱調理器が広く普及している。この誘導加熱調理器は、使用者の指示に基づいて加熱コイルを制御するために、加熱の切／入や火力の上げ下げなどの制御命令がそれぞれ割り当てられた複数のスイッチを備える。特許文献１には、トッププレートに設けられた静電容量式のスイッチが開示されている。静電容量式のスイッチは、導電性の端子を介して、トッププレートの下方に設けられた制御部に電気的に接続されており、制御部は、使用者の指がスイッチに触れることによりスイッチの電圧が変化すると、スイッチが押下されたことを判断する。
【特許文献１】特開２００５−３８７３９号公報
【発明の開示】
【発明が解決しようとする課題】
【０００３】
特許文献１に記載の誘導加熱調理器において、制御命令毎にスイッチが設けられているため、制御命令の数が増大するとスイッチの数が増大するという問題があった。そのため、スイッチの数が増えると、使用者は使用したいスイッチをすぐに見つけることができなかった。また、トッププレートに設けられるスイッチは、加熱コイル毎に対応させてそれぞれ設けられるため、一般家庭などで使用される、複数の加熱コイルを有する誘導加熱調理器においては、トッププレートに配列されるスイッチの数が多くなり、スイッチ間の距離が短くなってしまう。この場合、制御したい加熱コイルとは別の加熱コイル用のスイッチを操作してしまうという問題も起こりうる。このように、トッププレートに配列されるスイッチの数が増大すると、誤操作が生じやすいという問題があった。
【０００４】
本発明は、制御命令の数を減らすことなく、トッププレートに配列するスイッチの数を低減する誘導加熱調理器を提供することを目的とする。
【課題を解決するための手段】
【０００５】
本発明の誘導加熱調理器は、調理容器を載置するトッププレートと、誘導磁界を発生して、調理容器を誘導加熱する加熱コイルと、各々制御命令が割り当てられた複数のスイッチを含む操作部と、スイッチが押下されることにより入力された制御命令に応じて、加熱コイルに高周波電流を供給する制御部と、を有し、複数のスイッチは、複数の制御命令が割り当てられたスイッチを少なくとも一つ含む。
【０００６】
ここで、「複数の制御命令」とは、互いに関連のない動作を指示する制御命令を複数個含むことを意味し、加熱の開始／停止やロックの設定／解除のように、一対で且つ動作が逆の関係を有する制御命令は１つの制御命令として扱える。
【０００７】
他のスイッチが押下されることにより、１つのスイッチに割り当てられた複数の制御命令の中から、１つのスイッチの制御命令として、１つの制御命令が選択されて入力可能な状態になっても良い。
【０００８】
１つのスイッチの押下回数に基づいて、１つのスイッチに割り当てられた複数の制御命令の中から、１つのスイッチの制御命令として、１つの制御命令が選択されて入力可能な状態になっても良い。
【０００９】
１つのスイッチの押下位置に基づいて、１つのスイッチに割り当てられた複数の制御命令の中から、１つのスイッチの制御命令として、１つの制御命令が選択されて入力可能な状態になっても良い。
【００１０】
１つのスイッチに割り当てられた複数の制御命令を識別する情報が、スイッチの表面又はスイッチ近傍に印字されており、１つのスイッチが押下されると、押下位置に最も近い印字に対応する制御命令が選択されても良い。
【００１１】
上記誘導加熱調理器は、スイッチに光を照射する光源をさらに有し、１つのスイッチに割り当てられた複数の制御命令を識別する情報が、スイッチ又はスイッチ近傍に印字されており、光源は、複数の制御命令の中から選択された１つの制御命令の印字を発光させても良い。
【００１２】
スイッチに光を照射する光源は、複数の制御命令の中から選択された１つの制御命令に応じて、１つのスイッチに対する発光色を変更しても良い。
【発明の効果】
【００１３】
本発明の誘導加熱調理器によれば、制御命令の数を減らすことなく、トッププレートに配列するスイッチの数を低減することができる。
【発明を実施するための最良の形態】
【００１４】
以下、本発明の実施形態について、図面を参照して説明する。
【００１５】
［誘導加熱調理器の構成］
図１に本発明の実施形態の誘導加熱調理器の構成を示す。本実施形態の誘導加熱調理器は、ガラスなどの電気絶縁物からなり、光を透過する結晶化セラミック製のトップレート１と、トッププレート１の下方に設けられた、誘導加熱により調理容器５を加熱する加熱コイル７と、を有する。
【００１６】
トッププレート１の下面に、各々制御命令が割り当てられた複数の静電容量式スイッチにより構成される操作部４が設けられ、操作部４の下方に、操作部４の複数のスイッチをそれぞれ照射可能な光源６が設けられる。操作部４の複数のスイッチは、銅やカーボンなどの導電性物質により形成された電極である。
【００１７】
また、加熱コイル７の下方に制御部８が設けられている。制御部８は、導電性の端子などにより、操作部４の各スイッチのそれぞれと電気的に接続されており、スイッチを介して入力された制御命令に基づいて、加熱コイル７に高周波電流を供給することにより、加熱コイル７の加熱電力量を制御する。使用者が調理容器５を加熱するために指でスイッチを押下すると、すなわち、使用者の指、トッププレート１、及びスイッチにより、コンデンサが形成され、スイッチに対向するトッププレート１の上面に触れると、スイッチの電圧が低下する。制御部８は、スイッチの電圧が所定の電圧以下に低下すると、スイッチが押下されたと判断して、すなわちスイッチに割り当てられた制御命令が入力されたと判断して、その制御命令に基づいて加熱コイル７を制御する。
【００１８】
図２にトッププレート１の上面図を示す。トッププレート１の上面又は下面には、調理容器５の載置場所を示す、少なくとも１つ（本実施形態では、２つ）の加熱部２が印刷により表示されており、加熱部２の下方にそれぞれ加熱コイル７が設けられる。加熱部２の手前側（使用者側）に表示部３が設けられる。表示部３は、加熱コイル７の出力の大きさ、タイマーの残り時間、及び調理メニューを識別するための記号などを表示する。調理メニューとは、例えば揚げ物、湯沸かし、及び炊飯である。操作部４は、表示部３の手前側（使用者側）に、加熱部２に対応させて設けられる。
【００１９】
操作部４を構成する複数の静電容量式のスイッチ４ａ〜４ｅにおいて、少なくとも１つのスイッチには複数の制御命令が割り当てられる。本実施形態においては、スイッチ４ｂに複数の制御命令が割り当てられている。具体的には、スイッチ４ｂには、各スイッチの操作の有効／無効を制御するためのロックの設定／解除の制御命令と、揚げ物、湯沸かし、及び炊飯の調理メニューを選択する制御命令との２つの制御命令が割り当てられている。「揚げ物、湯沸かし、及び炊飯の調理メニュー」とは、それぞれ揚げ物、湯沸かし、及び炊飯に適した温度で加熱コイル７を制御して、調理容器５を加熱するモードである。本実施形態において、スイッチ４ｂに割り当てられた２つの制御命令は使用者に選択されることにより、いずれか一方の制御命令がスイッチ４ｂの制御命令として選択され入力可能な状態、すなわち使用者の指示を受け付けることが可能な状態となる。同時に２つの制御命令が入力可能な状態になることはない。すなわち、スイッチ４ｂの一度の押下で、ロックの設定／解除の制御命令と調理メニューを選択する制御命令とが同時に入力され、実行されることはない。以下、スイッチ４ｂが、ロックの設定／解除の制御命令を入力可能な状態のときを「ロック解除スイッチ」と言い、調理メニューの選択の制御命令を入力可能な状態のときを「メニュースイッチ」と言う。
【００２０】
スイッチ４ｂ以外のスイッチ４ａ、４ｃ、４ｄ及び４ｅには、一つの制御命令がそれぞれ割り当てられている。各スイッチ４ａ、４ｃ、４ｄ及び４ｅは、加熱の切／入を制御する加熱切／入スイッチ４ａ、火力の上げ下げや温度を調節する調節スイッチ４ｃ及び４ｄ、加熱時間を設定するタイマースイッチ４ｅである。
【００２１】
スイッチ４ａ〜４ｅに割り当てられた制御命令を識別する文字や記号は各スイッチに刻印されており、光源６は、その文字や記号を発光させる。具体的には、スイッチ４ａ〜４ｅに割り当てられた制御命令の内容を示す記号や文字は、スイッチ４ａ〜４ｅを構成する電極から予め切り抜かれている。例えば、スイッチ４ａには、「加熱切／入」の文字が電極から切り抜かれており、スイッチ４ｂには「ロック解除」と「メニュー」の文字が切り抜かれている。光源６が下方からスイッチ４ａ〜４ｅを照射すると、光源６から放射された光が切り抜かれた記号や文字を通過する。これにより、使用者は制御命令の内容を認識できる。光源６は、スイッチ４ａ、４ｃ〜４ｅの文字を照射すると共に、スイッチ４ｂにおいては「ロック解除」と「メニュー」のいずれか一方のみを照射する。
【００２２】
図３に、表示部３の表示例を示す。誘導加熱調理器の電源が入れられたとき、スイッチ４ｂ以外のスイッチの操作が無効となるようにロックが掛けられており、表示部３には「ロック」の文字が表示されている（図３（ａ））。この状態で、ロック解除スイッチ４ｂを押下すると、ロックが解除され、表示部３の「ロック」の文字が消える。
【００２３】
加熱切／入スイッチ４ａが押下されると、調理容器５の加熱が開始され、表示部３には加熱出力の強弱を示すレベルバーが表示される（図３（ｂ））。この状態で、調節スイッチ４ｃ及び４ｄを押下すると、火力の上げ下げを調節でき、それに応じて表示部３のレベルバーの表示が切り替わる。
【００２４】
メニュースイッチ４ｂを押下して、揚げ物モードを選択すると、デフォルトの温度１８０度の「１８０」が表示部３に表示される（図３（ｃ））。この状態で、調節スイッチ４ｃ及び４ｄを押下すると、揚げ物調理の設定温度の上げ下げを調整できる。
【００２５】
また、メニュースイッチ４ｂを押下して、炊飯モードを選択すると、「設定」の文字と炊飯量を示す「カップ」「２」の文字が表示部３に表示される（図３（ｄ））。この状態で、調節スイッチ４ｃ及び４ｄを押下すると、炊飯量を変更することができる。
【００２６】
タイマースイッチ４ｅを押下すると、加熱の残り時間の、例えば「残り１：５０」が表示部３に表示される（図３（ｅ））。この状態で、タイマースイッチ４ｅをさらに押下すると、残り時間を増やすことができる。
【００２７】
図２のスイッチ４ｂの「ロック解除」と「メニュー」の制御命令のいずれをスイッチ４ｂの制御命令として入力可能な状態にするかの選択は、スイッチ４ｂ以外の他のスイッチによって行われる。本実施形態においては、タイマースイッチ４ｅを押下することによって行われ、タイマースイッチ４ｅが押下される毎に、「ロック解除」と「メニュー」の制御命令が、スイッチ４ｂの制御命令として、交互に選択されて入力可能な状態になる。図４に、スイッチ４ｂの制御命令として、「ロック解除」と「メニュー」が切り替えられる状態を示す。スイッチ４ｂがロック解除スイッチとなっている状態で（図４（ａ））、タイマースイッチ４ｅが押下されると、スイッチ４ｂはメニュースイッチに切り替わる（図４（ｂ））。このとき、表示部３にはメニュースイッチにおいて選択できる、揚げ物、湯沸かし、及び炊飯の記号が表示される。次に、タイマースイッチ４ｅが押下されると、スイッチ４ｂは再びロック解除スイッチに切り替えられる（図４（ｃ））。このとき、表示部３には何も表示されない。その後、タイマースイッチ４ｅがさらに押下されると、再びスイッチ４ｂはメニュースイッチに切り替わる（図４（ｄ））。
【００２８】
タイマースイッチ４ｅの本来の制御命令である加熱時間の設定は、加熱切／入スイッチ４ａが押下された直後から所定時間以内にのみ受けつけられ、その他のタイミングではタイマースイッチ４ｅは、スイッチ４ｂの「ロック解除」と「メニュー」の制御命令を交互に切り替えるスイッチとして動作する。
【００２９】
［誘導加熱調理器の動作］
上記のように構成される本実施形態の誘導加熱調理器の動作について、調理容器５を湯沸かしのモードで加熱するときを例として、図５を用いて説明する。図５は、調理容器５の加熱を開始するときの、操作部４のスイッチ４ａ〜４ｅと表示部３とを示す図である。図５においては、図２の左右に設けられた操作部４の一方と表示部３の一部とを示している。誘導加熱調理器の電源が投入された状態では、スイッチ４ａ及び４ｃ〜４ｅの操作が誤って操作されないように、スイッチ４ａ及び４ｃ〜４ｅの操作を無効にするようにロックが掛けられており、表示部３に「ロック」と表示されている（図５（ａ））。このとき、スイッチ４ｂはロック解除スイッチとなっており、ロック解除スイッチ４ｂのみが操作可能である。この状態で、ロック解除スイッチ４ｂが押下されると、スイッチ４ａ及び４ｃ〜４ｅのロックが解除され、表示部３の「ロック」の表示が消える（図５（ｂ））。この状態で、タイマースイッチ４ｅが押下されると、スイッチ４ｂはメニュースイッチに切り替わり、表示部３には揚げ物、湯沸かし、及び炊飯の記号が表示される（図５（ｃ））。次にメニュースイッチ４ｂが押下されると、揚げ物のモードが選択され、揚げ物の記号が点滅する（図５（ｄ））。もう一度、メニュースイッチ４ｂを選択すると、湯沸かしのモードが選択され、湯沸かしの記号が点滅する（図５（ｅ））。この状態で、加熱切／入スイッチ４ａが選択されると、湯沸かしのモードで加熱が開始される。このとき、揚げ物と炊飯の記号が表示部３から消去され、湯沸かしの記号のみが表示部３に表示される（図５（ｆ））。加熱切／入スイッチ４ａが押下されてから所定時間以内は、タイマースイッチ４ｅの制御命令が利用可能となり、タイマースイッチ４ｅを押下すると、加熱時間を設定することができる。
【００３０】
本実施形態の誘導加熱調理器は、スイッチ４ｂに、ロックの設定／解除の制御命令と、調理メニューを選択する制御命令との２つの制御命令を割り当てているため、ロック解除スイッチとメニュースイッチを別々にトッププレート１に設ける必要がない。これにより、トッププレート１に設けるスイッチの数を低減することができる。一方、１つの制御命令に対して１つのスイッチが割り当てられる従来の静電容量式のスイッチや、静電容量式のスイッチの代わりに使用される従来のタクトスイッチは、１つの制御命令に対して１つのスイッチが設けられているため、制御命令の数が増大すると、スイッチの数が増大するという問題があった。しかし、本実施形態によれば、複数の制御命令を１つのスイッチに割り当てることができるため、トッププレート１に設けるスイッチの数を低減することができる。これにより、使用者は、使用したいスイッチをすぐに見つけることができ、誤操作が起こることを防止することができる。例えば、トッププレート１に配列されたスイッチの数が減ることにより、加熱切／入スイッチ４ａや調節スイッチ４ｃ及び４ｄなどを簡単に見つけることができる。また、スイッチの数を低減することにより、操作部４の面積を小さくすることができるため、加熱コイルを複数個設ける場合であっても、一つの操作部４と他の操作部４との間の間隔を広くすることができ、誤って他の加熱コイル用の操作部４を操作することを防止できる。
【００３１】
複数の制御命令を表示する例として、ＡＴＭ等で使用されている液晶のタッチパネルがある。しかし、液晶のタッチパネルは、耐熱性が約５０℃〜１００℃と低い。トッププレート１は、厚みが例えば４mmの一枚のガラスで作られているため、タッチパネルに対向するトッププレートの上面に高温（例えば、３００℃）に加熱された調理容器が置かれると、トッププレート１の裏面は約２００℃まで上昇することがある。そのため、耐熱性が低い液晶のタッチパネルをトッププレート１の裏面に設けると、タッチパネルが壊れてしまう。液晶のタッチパネルを誘導加熱調理器に用いる場合は、トッププレートの裏面とタッチパネルとの間に隙間を設けて、冷却風をその隙間に送風し、タッチパネルが高温にならないようにする必要がある。しかし、この場合、タッチパネルの検知精度が低下して、使用者がタッチパネルに対向するトッププレート１の上面に触れているのに、触れていないと判断するなどの誤操作が生じる場合がある。特に、加熱を止めたいときに止まらない場合は、安全性や調理性能において問題となる。しかし、本実施形態によれば、耐熱性に優れた電極のスイッチを用いているため、スイッチが接触するトッププレートが例えば２００℃の高温になっても、耐熱性に問題はない。そのため、本実施形態のスイッチは、トッププレート１の裏面に直接、設けることができ、液晶のタッチパネルのように、検知精度が低下することはない。また、スイッチと電気的に接続される制御部８は、電極で構成されるスイッチがトッププレート１に触れていれば静電容量の変化を検知できるため、トッププレート１の裏面から離れて配置することができる。よって、制御部８はトッププレート１の熱の影響を受けることはない。このように、本実施形態は、耐熱性にも優れている。
【００３２】
また、タクトスイッチによる操作部を構成する場合、タクトスイッチは耐熱性がないため、タクトスイッチと加熱部との間に段差を設けて、調理容器がタクトスイッチの上に載らないように工夫する必要がある。しかし、段差を設けると、トッププレートのフラット面が減少するため、使い勝手が悪くなる。本実施形態の誘導加熱調理器は、静電容量式のスイッチ４ａ〜４ｅにより、操作部４を構成しているため、トッププレート１のフラット面が減少せず、使い勝手が良いという効果も得られる。
【００３３】
［変形例］
なお、本実施形態においては、ロックの設定／解除の制御命令と調理メニューを選択する制御命令とを、１つのスイッチに割り当てる場合を例にして説明したが、よく使用する制御命令を単独でスイッチに割り当て、使用のタイミングが制限されるような制御命令をまとめて１つのスイッチに割り当てるようにしても良い。
【００３４】
なお、本実施形態においては、タイマースイッチ４ｅにより、スイッチ４ｂの入力可能な制御命令として、「ロック解除」と「メニュー」の制御命令を切り替えるとしたが、スイッチ４ｂの入力可能な制御命令の切り替えはタイマースイッチ４ｅに限らず、他のスイッチにより行っても良い。例えば、複数の制御命令が割り当てられたスイッチ４ｂ自身を押下することによって、スイッチ４ｂの入力可能な制御命令が切り替えられるようにしても良い。具体的には、電源投入後に、ロック解除スイッチが押下されると、タイマースイッチ４ｅを押さなくても、メニュースイッチに切り替えられるようにしても良い（図５（ａ）→図５（ｃ））。
【００３５】
電源投入後にロック解除された後は、通常、使用者はいずれかのスイッチを操作して調理容器５の加熱を開始する。そのため、一旦、ロックが解除された後は、「ロック解除」の制御命令が不要になることが多い。ロック解除スイッチが押下された後、メニュースイッチに自動的に切り替えるようにすれば、誤操作を防ぐことができ、使い勝手が向上する。このように、制御部８は、使用者がいずれかのスイッチを押下することにより、誘導加熱調理器のそのときの状態を判断して、使用頻度が高い制御命令をスイッチ４ｂの制御命令として選択し、使用頻度が低い制御命令又は使用不可能な制御命令を隠すようにしても良い。
【００３６】
また、図６や図７に示すように、３つ以上の制御命令を１つのスイッチに割り当てて、そのスイッチ自身を押下することによって、制御命令が切り替えられるようにしても良い。
【００３７】
図６は、４つの制御命令が割り当てられたスイッチ５４ｂ自身の押下回数によって、入力可能な状態となる制御命令が切り替わる状態を示している。図６においては、スイッチ５４ｂは、「ロック解除」、「加熱切／入」、「揚物切／入」及び「湯沸切／入」の制御命令が割り当てられている。「ロック解除」と「加熱切／入」の制御命令は、上述した加熱切／入スイッチ４ａと、スイッチ４ｂのロック解除スイッチとしての機能と同様である。「揚物切／入」及び「湯沸切／入」の制御命令は、上述したスイッチ４ｂのメニュースイッチとしての機能において、揚げ物や湯沸かしに適した温度で、調理容器５の加熱の切／入を制御する機能と同様である。図６では、複数の制御命令が割り当てられたスイッチ５４ｂが押下される毎に、「ロック解除」→「加熱切／入」→「揚物切／入」→「湯沸切／入」（図６（ａ）→図６（ｂ）→図６（ｃ）→図６（ｄ））の順に入力可能な制御命令が切り替わる。「湯沸切／入」の次は「ロック解除」に戻る。また、選択される制御命令が切り替わると、スイッチ５４ｂの表面の表示が光源６により切り替わる。スイッチ５４ｂが押下されたときに、入力可能な制御命令の切り替えと制御命令の入力に従った動作のいずれを行うかは、スイッチ５４ｂを押下してから所定時間以内に再度スイッチ５４ｂが押下されたか否かによって、決定する。例えば、スイッチ５４ｂを押下してから所定時間（例えば、２秒）以内に再度スイッチ５４ｂが押された場合は、図６に示すように入力可能な制御命令が切り替わり、スイッチ５４ｂを押下してから所定時間経過後に再度スイッチ５４ｂが押下されると、そのとき入力可能な制御命令が入力されて、その制御命令に基づいて、制御部８は動作する。
【００３８】
図７は、４つの制御命令が割り当てられたスイッチ６４ｂの押下位置によって、選択される制御命令が切り替わる状態を示している。スイッチ６４ｂには、「ロック解除」「加熱切／入」「揚物切／入」及び「湯沸切／入」の制御命令が割り当てられており、それぞれの制御命令に対応する文字がスイッチ６４ｂの電極から切り抜かれている。押下位置の特定は、例えば、「ロック解除」「加熱切／入」「揚物切／入」及び「湯沸切／入」の各文字の真下に対応する位置に、別個に電極を形成することにより行う。図７において、「湯沸切／入」の文字の真上やその文字近傍（他の文字よりも「湯沸切／入」の文字に最も近い位置）が押下されると（図７（ａ））、「湯沸切／入」の制御命令が入力可能な制御命令として選択される（図７（ｂ））。図７（ｂ）の状態の後に、再度スイッチ６４ｂが押されると、「湯沸切／入」の制御命令が入力されて、調理容器の加熱が開始される。なお、「湯沸切／入」の入力可能な制御命令の選択と「湯沸切／入」の制御命令の入力とを同時に行って、図７（ｂ）の段階で、調理容器の加熱が開始されても良い。
【００３９】
なお、本実施形態においては、スイッチ４ａ〜４ｅを構成する電極は、トッププレート１の下面に設けたが、これらの電極はトッププレート１の上面に設けても良いし、トッププレート１の両面に設けても良い。
【００４０】
なお、本実施形態においては、複数の制御命令が割り当てられたスイッチは一つであったが、複数の制御命令が割り当てられたスイッチが複数個あっても良い。また、本実施形態のスイッチ４ａ〜４ｅに割り当てられた制御命令は単なる例であり、操作部４は、他の制御命令が割り当てられたスイッチを設けても良い。
【００４１】
なお、複数の制御命令が割り当てられたスイッチにおいて、光源６は、入力可能な制御命令毎に発光色を変えても良い。発光色の違いにより、使用者は選択している制御命令を識別し易くなる。
【００４２】
なお、本実施形態においては、スイッチ４ａ〜４ｅを構成する電極を切り抜くことにより、制御命令を識別する文字や記号を表したが、電極を切り抜かずに、文字や記号をスイッチ４ａ〜４ｅに対向するトッププレート１の上面又は下面に印刷しても良い。この場合、光源６は、印刷された文字や記号を識別できるように、スイッチの外縁周辺を照射しても良い。また、スイッチやスイッチに対向するトッププレート１に制御命令を識別する文字や記号を表示することに代えて、スイッチの外縁近傍のトッププレート上に文字や記号を設けても良い。また、文字や記号の切り抜きや印刷を行わずに、発光色の違いのみにより、選択された制御命令やスイッチに割り当てられた制御命令を識別できるようにしても良い。
【産業上の利用可能性】
【００４３】
本発明の誘導加熱調理器によれば、制御命令の数を減らすことなく、トッププレートに配列するスイッチの数を低減できるという効果を有し、一般家庭などで使用される誘導加熱調理器に有用である。
【図面の簡単な説明】
【００４４】
【図１】本発明の実施形態の誘導加熱調理器の構成図
【図２】本発明の実施形態の誘導加熱調理器のトッププレートを示す上面図
【図３】本発明の実施形態の誘導加熱調理器の表示部の表示例を示す図
【図４】本発明の実施形態のスイッチに割り当てられた複数の制御命令において、入力可能な制御命令の切り替えの状態を示す図
【図５】本発明の実施形態の誘導加熱調理器の加熱開始時のスイッチと表示部の状態を示す図
【図６】本発明の実施形態のスイッチに割り当てられた複数の制御命令において、入力可能な制御命令の他の切り替えの状態を示す図
【図７】本発明の実施形態のスイッチに割り当てられた複数の制御命令において、入力可能な制御命令の他の切り替えの状態を示す図
【符号の説明】
【００４５】
１          トッププレート
２          加熱部
３          表示部
４          操作部
４ａ〜４ｅ  スイッチ
５          調理容器
６          光源
７          加熱コイル
８          制御部
【図１】
2008218103.tif 000003
【図２】
2008218103.tif 000004
【図３】
2008218103.tif 000005
【図４】
2008218103.tif 000006
【図５】
2008218103.tif 000007
【図６】
2008218103.tif 000008
【図７】
2008218103.tif 000009